(57)【要約】【課題】  組立性を向上させた空気調和装置を提供する。【解決手段】  ファン１６及び送風用モータ１９を内蔵し、操作部１４を設けた装置本体としての加湿器本体１を有する空気調和装置において、前記加湿器本体１が、シャシー３と、このシャシー３を外側から覆う外殻体２とを有し、前記シャシー３に前記ファン１６、送風用モータ１９及び操作部１４を固定すると共に、前記シャシー３に取り付けられた前記ファン１６及び送風用モータ１９を、前記外殻体２によって外側から覆うように構成したことにより、前記シャシー３に、電気配線済みの前記送風用モータ１９及び操作部１４を予め取り付けた後、前記ファン１６及び送風用モータ１９を覆うように、前記外殻体２を前記シャシー３に取り付けることで、組立作業性を向上させることができる。【選択図】図１
2015137837.tif 000002
【特許請求の範囲】
【請求項１】
送風機を内蔵し、操作部を設けた装置本体を有する空気調和装置において、
前記装置本体が、シャシーと、このシャシーを外側から覆うように取り付けられる外殻体とを有し、前記シャシーに前記送風機及び操作部を固定すると共に、前記シャシーに取り付けられた前記送風機を、前記外殻体によって外側から覆うように構成したことを特徴とする空気調和装置。
【請求項２】
前記シャシーに電源コードを保持させると共に、前記外殻体に前記電源コードを通すための貫通孔を形成したことを特徴とする請求項１記載の空気調和装置。
【請求項３】
前記外殻体に、この外殻体の縁から前記貫通孔までを繋ぐ切欠部を形成したことを特徴とする請求項２記載の空気調和装置。
【発明の詳細な説明】
【技術分野】
【０００１】
本発明は、空気清浄機や加湿器等の、送風機を内蔵した空気調和装置に関するものである。
【背景技術】
【０００２】
従来、この種の空気調和装置としては、送風機としてのファンモータを内蔵し、操作部としての操作パネルを設けた装置本体を有する空気調和装置が知られている（例えば、特許文献１参照。）。そして、この空気調和装置は、その周囲が、筐体である主部筐体ケースと前部筐体ケースとで覆われており、前記ファンモータが主部筐体ケースに配置されるのに対して、前記操作パネルが前部筐体ケースに設けられている。
【先行技術文献】
【特許文献】
【０００３】
【特許文献１】特開２０１０−５４１８９号公報
【発明の概要】
【発明が解決しようとする課題】
【０００４】
しかしながら、このような空気調和装置は、主部筐体ケースと前部筐体ケースを組み合わせる作業時に、主部筐体ケース側の送風機と前部筐体ケース側の操作部との電気配線を接続する作業が困難であり、組立性の低下を招いていた。
【０００５】
本発明は以上の問題点を解決し、組立性を向上させた空気調和装置を提供することを目的とする。
【課題を解決するための手段】
【０００６】
本発明の請求項１に記載の空気調和装置は、送風機を内蔵し、操作部を設けた装置本体を有する空気調和装置において、前記装置本体が、シャシーと、このシャシーを外部から覆うように取り付けられる外殻体とを有し、前記シャシーに前記送風機及び操作部を固定すると共に、前記シャシーに取り付けられた前記送風機を、前記外殻体によって外側から覆うように構成したものである。
【０００７】
また、本発明の請求項２に記載の空気調和装置は、請求項１において、前記シャシーに電源コードを保持させると共に、前記外殻体に前記電源コードを通すための貫通孔を形成したものである。
【０００８】
更に、本発明の請求項３に記載の空気調和装置は、請求項２において、前記外殻体に、この外殻体の縁から前記貫通孔までを繋ぐ切欠部を形成したものである。
【発明の効果】
【０００９】
本発明の請求項１に記載の空気調和装置は、以上のように構成することにより、前記シャシーに、電気配線済みの前記送風機と操作部を予め取り付けた後、前記送風機を覆うように、前記外殻体を前記シャシーに取り付けることで、組立作業性を向上させることができる。
【００１０】
なお、前記シャシーに電源コードを保持させると共に、前記外殻体に前記電源コードを通すための貫通孔を形成することで、組立作業性をより向上させることができる。
【００１１】
また、前記外殻体に、この外殻体の縁から前記貫通孔までを繋ぐ切欠部を形成することで、この切欠部を通して前記電源コードを前記貫通孔に導くことができるので、組立作業性をより向上させることができる。
【図面の簡単な説明】
【００１２】
【図１】本発明の空気調和装置の断面図である。
【図２】同、図１とは異なる位置における断面を示す断面図である。
【図３】同、空気調和装置の分解斜視図である。
【発明を実施するための形態】
【００１３】
本発明における好適な実施形態について、添付図面を参照して説明する。尚、以下に説明する実施形態は、特許請求の範囲に記載された本発明の内容を限定するものではない。また、以下に説明される構成の全てが、本発明の必須要件であるとは限らない。
【００１４】
以下、本発明の空気調和装置としての加湿器の実施形態について、図１乃至図３に基づいて説明する。１は、加湿器の本体ケースを形成する加湿器本体である。そして、この加湿器本体１は、中空な略直方体箱型形状の外殻体２と、この外殻体２内に収容され、各種電気部品が配置された板状部材からなるシャシー３とを備えている。前記外殻体２は、前側外殻ケース４と後側外殻ケース５とで、前後方向に分割可能に構成されている。
【００１５】
前記前側外殻ケース４の前面下部には、空気吸入口６が設けられていると共に、この空気吸入口６を被覆可能なフィルターカバー７を着脱自在に備えている。前記前側外殻ケース４とフィルターカバー７の間には、周知の集塵フィルタや脱臭フィルタ等によって構成される空気清浄用フィルタ８が配置されている。前記後側外殻ケース５の上部には、空気吹出口９が設けられている。
【００１６】
前記外殻体２の底部には、給水トレイ１０が着脱自在に設けられている。この給水トレイ１０は、前記外殻体２の側面下部から出し入れ可能に設けられている。この給水トレイ１０は、上方が開口しており、織布、不織布や帯状スポンジ等の通気性保水部材からなる加湿用フィルタ１１を収容可能に備えている。尚、この加湿用フィルタ１１は、前記前側外殻ケース４の空気吸入口６に対応する位置に配置されるものである。また、前記給水トレイ１０の一側には、この給水トレイ１０に水を供給する水タンク１２を着脱自在に備えている。
【００１７】
前記シャシー３は、吸入側である前面と吹出側である後面とを連通する通気孔１３を備えている。前記シャシー３の前面の上部には、電源スイッチ等の操作部１４が取付可能な操作部用取付部１５が設けられ、前記シャシー３の後面における前記通気孔１３に対応する箇所には、ファン１６が装着されている。
【００１８】
なお、前記ファン１６は、複数の羽根１７を円環状に且つ断続状に円板部１８の外周に沿って配列した、シロッコファン等の遠心ファンである。また、前記ファン１６は、その円板部１８の中心が送風用モータ１９の回転軸２０に接続される。即ち、前記送風用モータ１９の回転軸２０と前記円板部１８は、同軸状である。そして、前記送風用モータ１９とファン１６とで、電動送風機が構成される。なお、前記電動送風機は、前記回転軸２０と円板部１８の中心軸線２０Ａが、水平で且つ前後方向となるように、前記加湿器本体１内に配置される。
【００１９】
また、前記シャシー３の後面には、前記ファン１６の外周を被覆可能なスクロール状に立設されたファンケーシング２１を備えている。このファンケーシング２１の吹出口２２の開口部は、上方へ向けて形成されている。また、前記シャシー３の後面上部は前面側に傾斜して形成されており、これにより前記吹出口２２の開口面積を大きくし、風量を確保している。
【００２０】
また、前記シャシー３の後面における前記ファンケーシング２１の周囲には、垂直に立設された板状部材に各種電気部品の電気配線を挟持可能な複数の切欠溝が形成された複数の配線固定部２３を設けている。尚、前記シャシー３の前面における前記通気孔１３の周囲にも、後面と同様の配線固定部２３を複数備えている。
【００２１】
前記シャシー３の後面の下部には、電源コード２４の基端を前記加湿器本体１の前後方向と平行に前記シャシー３に保持する切欠溝を備えた電源コード保持部２５が突設されている。この電源コード保持部２５には、前記シャシー３の後面から垂直に立設され水平方向と平行な板状部材からなる閉塞部材２６を一体に備えている。
【００２２】
前記前側外殻ケース４の上面には、操作部用貫通部２７が形成されている。この操作部用貫通部２７を介して、前記前側外殻ケース４の外側から前記加湿器本体１内部の操作部１４に操作部カバー２８が装着されている。尚、本実施例では、この操作部カバー２８をスライド操作することで、前記操作部１４を操作可能に構成されている。
【００２３】
前記前側外殻ケース４の前面後方の上部には、上面部及び左右側面部を有する門型に形成された第１の隔壁２９を備えている。この第１の隔壁２９によって、前記加湿器本体１の内部において、前記操作部１４と前記加湿器本体１内の後述する送風路Ｆとを隔絶している。また、前記前側外殻ケース４の前面後方における前記第１の隔壁２９の下部には、上面部及び側面部を有する正面視逆Ｌ型に形成された第２の隔壁３０を備えている。この第２の隔壁３０によって、前記加湿器本体１内部における前記給水トレイ１０の収容空間を画設している。尚、前記第２の隔壁３０の上面部には、前記通気孔１３に連通する通気孔３１が形成されている。
【００２４】
前記後側外殻ケース５の後面下部における、前記シャシー３の電源コード固定部２５に対応する箇所には、前記電源コード２４を挿通可能な電源コード用貫通部３２が形成されている。この電源コード用貫通部３２は、前記加湿器本体１の前後方向に貫通して形成された貫通孔からなる。そして、前記後側外殻ケース５の下部の縁部から前記電源コード用貫通部３２にかけて連続して切り欠いて形成された電源コード通し部３３を設けている。尚、この電源コード通し部３３の幅は、前記電源コード２４の太さよりもやや太く形成されている。また、前記電源コード通し部３３は、前記閉塞部材２６によって、前記加湿器本体１の内側から閉塞可能に形成されている。更に、前記閉塞部材２６の基端には、位置決め用突起３４が設けられている。この位置決め用突起３４は、前記閉塞部材２６と電源コード通し部３３の位置決めに用いられる。
【００２５】
次に、前記構成について、その作用を説明する。まず、前記加湿器の組み立て方法について説明する。予め、前記送風用モータ１９と操作部１３等を図示しない電気配線によって電気的に接続しておく。そして、前記操作部１３を前記シャシー３の前面の操作部用取付部１５に取り付けると共に、前記送風用モータ１９を前記シャシー３の後面に装着する等、前記シャシー３に各種電気部品を取り付けておく。ここで、前記電源コード２４の基端を前記電源コード保持部２５に保持させると共に、前記電源コード２４の余った部分や、各種電気部品の図示しない電気配線を、前記配線固定部２３に固定して、前記シャシー３に各種電気部品の電気配線を位置決め固定する。尚、前記ファン１６は、前記送風用モータ１９を前記シャシー３に装着する前に前記送風用モータ１９の回転軸２０に装着しても良く、また、前記送風用モータ１９を前記シャシー３に装着した後で前記送風用モータ１９の回転軸２０に装着しても良い。
【００２６】
そして、前記シャシー３の前面に前側外殻ケース４を装着する。また、前記電源コード２４を前記電源コード通し部３３から前記電源コード用貫通部３２に挿通した後、前記シャシー３の後面に前記後側外殻ケース５を装着する。この際、前述したように、前記閉塞部材２６が前記コード通し部３３を閉塞する。このようにして、前記シャシー３を前記外殻体２内部に収容する。
【００２７】
ここで、前記操作部１４は、前記シャシー３、前側外殻ケース４の上面部、前面部、側面部、及び前記第１の隔壁２９の上面部によって画設された空間Ｋ内に配置されている。そして、前記前側外殻ケース４の操作部用貫通部２７を介して、前記操作部カバー２８を前記操作部１４に装着する。更に、前記水タンク１２及び加湿用フィルタ１１を装着した前記給水トレイ１０を、前記外殻体２に取り付ける。
【００２８】
続いて、使用者が、前記操作部カバー２８を介して前記操作部１４を操作することで、前記送風用モータ１９が通電する。この送風用モータ１９が回転して前記ファン１６が回転すると、前記フィルターカバー７、前記空気清浄用フィルタ８、前記空気吸入口６、前記加湿用フィルタ１１、前記通気孔１３，３１、前記ファンケーシング２１、前記空気吹出口９の順に空気が流通する送風路Ｆが形成される。
【００２９】
この送風路Ｆにおいて、前記フィルターカバー７を経て前記空気清浄用フィルタ８を通過して清浄化された空気は、前記空気吸入口６から前記加湿器本体１内部へ吸入され、前記加湿用フィルタ１１を通過して加湿された空気（以下、加湿空気という）となる。その後、この加湿空気は、前記通気孔１３，３１及び前記ファンケーシング２１を経て、前記空気吹出口９から放出される。
【００３０】
以上のように、本実施形態は、送風機としてのファン１６及び送風用モータ１９を内蔵し、操作部１４を設けた装置本体としての加湿器本体１を有する空気調和装置としての加湿器において、前記加湿器本体１が、シャシー３と、このシャシー３を外側から覆うように取り付けられる外殻体２とを有し、前記シャシー３に前記ファン１６、送風用モータ１９及び操作部１４を固定すると共に、前記シャシー３に取り付けられた前記ファン１６及び送風用モータ１９を、前記外殻体２によって外側から覆うように構成したことにより、前記シャシー３に、電気配線済みの前記送風用モータ１９及び操作部１４を予め取り付けた後、前記ファン１６及び送風用モータ１９を覆うように、前記外殻体２を前記シャシー３に取り付けることで、組立作業性を向上させることができる。
【００３１】
また、前記シャシー３に電源コード２４を保持させると共に、前記外殻体２に前記電源コード２４を通すための貫通孔としての電源コード用貫通部３２を形成したことにより、前記電源コード２４を含む全ての電気的要素を前記シャシー３に装着した後、前記加湿器本体１を組み立てることができるので、組立作業性をより向上させることができる。
【００３２】
更に、前記外殻体２を構成する後側外殻ケース５に、この後側外殻ケース５の縁から前記電源コード用貫通部３２までを繋ぐ切欠部として電源コード通し部３３を形成したことにより、この電源コード通し部３３を通して前記電源コード２４を前記電源コード用貫通部３２に導くことができるので、組立作業性をより向上させることができる。
【００３３】
また、電源コード通し部３３は、前記閉塞部材２６によって前記加湿器本体１の内側から閉塞可能に形成されているため、この電源コード通し部３３から加湿器本体１内部に異物が入り込むのを防止できるばかりでなく、前記電源コード２４が前記電源コード用貫通部３２から脱落するのを防止することができる。
【００３４】
更に、前記操作部１４は、前記第１の隔壁２９によって送風路Ｆから隔離された空間Ｋに配置されているため、前記加湿器本体１の内部において加湿空気に晒されることがなく、前記シャシー３に前記送風用モータ１９及び操作部１４等の電気部品をまとめて取り付けた加湿器において、加湿空気の湿気による電気部品の故障を抑制することができる。
【００３５】
また、前記配線固定部２３を介して前記シャシー３に各種電気部品の電気配線を位置決め固定することで、各種電気部品の電気配線が前記シャシー３と前側外殻ケース４や後側外殻ケース５との間に挟み込まれるのを防止して、前記シャシー３の外殻体２への収容が容易になり、組立作業性が向上する。
【００３６】
なお、本発明は上述した実施形態に限定されるものではなく、本発明の要旨の範囲内において、種々の変形実施が可能である。例えば、送風機や操作部等の構成について、適宜変更可能である。また、上記実施形態では、送風用モータと操作部と電源コード、及び図示しない電気配線以外に、加湿器本体内にその他の電気的要素（例えば制御用の回路基板や各種センサ等）が設けられていないが、これらその他の電気的要素をシャシーに配置しても良い。
【符号の説明】
【００３７】
１  加湿器本体（装置本体）
２  外殻体
３  シャシー
１４  操作部
１６  ファン（送風機）
１９  送風用モータ（送風機）
２４  電源コード
３２  電源コード用貫通部（貫通孔）
３３  電源コード通し部（切欠部）
【図１】
2015137837.tif 000003
【図２】
2015137837.tif 000004
【図３】
2015137837.tif 000005